(57)【特許請求の範囲】
【請求項１】
香り付け用濃縮物であって、
前記香り付け用濃縮物の全質量に対して少なくとも５質量％の濃度の、シス−３−ヘキセノールと、
前記香り付け用濃縮物の全質量に対して少なくとも５質量％の濃度の、ジエチルエーテルと比較した蒸発数が５０超の、シス−３−ヘキセノールのエステルと、
前記香り付け用濃縮物の全質量に対して少なくとも３質量％の濃度の、ガルバヌムレジノイドと、
少なくとも１種のアルコールを含むアルコール担体とを含み、
前記アルコールは、３００℃超の沸騰温度、および／または少なくとも３００時間の持続性、および／またはジエチルエーテルと比較して、５０超の蒸発数を特徴とし、
長期持続性の草の香りを有する、香り付け用濃縮物。
【請求項２】
前記シス−３−ヘキセノールの濃度が少なくとも１０質量％である、請求項１に記載の濃縮物。
【請求項３】
前記シス−３−ヘキセノールの濃度が１０質量％から２０質量％の範囲内である、請求項１または２に記載の濃縮物。
【請求項４】
蒸発数が５０超の、前記シス−３−ヘキセノールのエステルの濃度が少なくとも１０質量％である、請求項１〜３のいずれか一項に記載の濃縮物。
【請求項５】
蒸発数が５０超の、前記シス−３−ヘキセノールのエステルの濃度が１０質量％から２０質量％の範囲内である、請求項１〜４のいずれか一項に記載の濃縮物。
【請求項６】
前記シス−３−ヘキセノールのエステルが草の香りのベースノートを付与する、請求項１〜５のいずれか一項に記載の濃縮物。
【請求項７】
蒸発数が５０超の、前記シス−３−ヘキセノールのエステルがサリチル酸シス−３−ヘキセニルである、請求項１〜６のいずれか一項に記載の濃縮物。
【請求項８】
前記ガルバヌムレジノイドの濃度が少なくとも３質量％である、請求項１〜７のいずれか一項に記載の濃縮物。
【請求項９】
前記ガルバヌムレジノイドの濃度が５質量％から６質量％の範囲内である、請求項１〜８のいずれか一項に記載の濃縮物。
【請求項１０】
前記アルコール担体の濃度が、前記濃縮物の全質量に対して少なくとも３０質量％である、請求項１〜９のいずれか一項に記載の濃縮物。
【請求項１１】
アトラロンをさらに含む、請求項１〜１０のいずれか一項に記載の濃縮物。
【請求項１２】
前記アトラロンの濃度が１質量％から２質量％の範囲内である、請求項１１に記載の濃縮物。
【請求項１３】
草の香りを付与する、少なくとも１種の追加の香気性材料をさらに含む、請求項１〜１２のいずれか一項に記載の濃縮物。
【請求項１４】
前記少なくとも１種の追加の香気性材料が、ジエチルエーテルと比較して１５未満の蒸発数を特徴とし、且つ前記草の香りのトップノートを付与する、請求項１３に記載の濃縮物。
【請求項１５】
前記少なくとも１種の追加の香気性材料の濃度が、濃縮物の全質量に対して、１質量％から２０質量％の範囲内である、請求項１３または１４に記載の濃縮物。
【請求項１６】
草の香りを付与する前記少なくとも１種の追加の香気性材料が、トランス−３−ヘキセノール、トランス−２−ヘキセナール、トランス−２−ヘキセノール、シス−２−ヘキセノール、１−ヘキサノール、１−ヘキサナール、シス−３−ヘキセナール、およびシス−３−ヘキセノールのエステルであって、蒸発数がジエチルエーテルと比較して１５未満のものからなる群より選択される、請求項１３〜１５のいずれか一項に記載の香り付け用濃縮物。
【請求項１７】
草の香りを付与する前記少なくとも１種の追加の香気性材料が、トランス−３−ヘキセノール、トランス−２−ヘキセナール、トランス−２−ヘキセノール、１−ヘキサノール、および蒸発数がジエチルエーテルと比較して１５未満のシス−３−ヘキセノールのエステルからなる群より選択されるものである、請求項１３〜１５のいずれか一項に記載の濃縮物。
【請求項１８】
前記シス−３−ヘキセノールのエステルが、酢酸シス−３−ヘキセニル、ギ酸シス−３−ヘキセニル、およびイソ酪酸シス−３−ヘキセニルからなる群より選択されるものである、請求項１６または１７に記載の濃縮物。
【請求項１９】
木質性の古草臭を付与する香気性材料をさらに含む、請求項１〜１８のいずれか一項に記載の濃縮物。
【請求項２０】
前記木質性の古草臭を付与する香気性材料が、１００時間超の持続性、および／またはジエチルエーテルと比較して５０超の蒸発数であることを特徴とする、請求項１９に記載の濃縮物。
【請求項２１】
前記木質性の古草臭を付与する香気性材料の濃度が、前記濃縮物の全質量に対して、２質量％から１０質量％の範囲内である、請求項１９または２０に記載の濃縮物。
【請求項２２】
前記木質性の古草臭を付与する香気性材料が、バージニアシダーウッドオイルおよびイソボルニルシクロヘキサノールからなる群より選択される、請求項１９〜２１のいずれか一項に記載の濃縮物。
【請求項２３】
爽やかな香りのトップノートを付与する香気性材料をさらに含み、前記爽やかな香りのトップノートを付与する香気性材料が、ジヒドロミルセノール、酢酸リナライル、酢酸スチルアリルからなる群より選択される、請求項１〜２２のいずれか一項に記載の濃縮物。
【請求項２４】
前記トップノートを付与する前記香気性材料の濃度が、前記濃縮物の全質量に対して、１質量％から１０質量％の範囲内である、請求項２３に記載の濃縮物。
【請求項２５】
グリーン系またはフローラル系のベースノートを付与する香気性材料をさらに含む、請求項１〜２４のいずれか一項に記載の濃縮物。
【請求項２６】
前記グリーン系またはフローラル系のベースノートを付与する香気性材料が、持続性が２００時間超、および／または蒸発数がジエチルエーテルと比較して５０超であることを特徴とする、請求項２５に記載の濃縮物。
【請求項２７】
前記グリーン系またはフローラル系のベースノートを付与する香気性材料の濃度が、前記濃縮物の全質量に対して、０．５質量％から５質量％の範囲内である、請求項２５または２６に記載の濃縮物。
【請求項２８】
前記グリーン系またはフローラル系のベースノートを付与する香気性材料が、デュピカル、アドキサル、リリアル、およびトランス−２−シス−６−ノナジエナールからなる群より選択される、請求項２５〜２７のいずれか一項に記載の濃縮物。
【請求項２９】
ハーブ様の古草臭を付与する香気性材料をさらに含む、請求項１〜２８のいずれか一項に記載の濃縮物。
【請求項３０】
前記ハーブ様の古草臭を付与する香気性材料の濃度が、前記濃縮物の全質量に対して、１質量％から１０質量％の範囲内である、請求項２９に記載の濃縮物。
【請求項３１】
請求項１〜３０のいずれか一項に記載の濃縮物と、液状担体とを含む、香り付け用処方。
【請求項３２】
前記液状担体が、アルコール、水、またはこれらの混合物を含む、請求項３１に記載の処方。
【請求項３３】
前記液状担体がエタノールを含む、請求項３１または３２に記載の処方。
【請求項３４】
前記処方中の前記濃縮物の濃度が、前記処方の全質量に対して、１質量％から５０質量％の範囲内である、請求項３１〜３３のいずれか一項に記載の処方。
【請求項３５】
前記濃度が５質量％から１５質量％の範囲内である、請求項３４に記載の処方。
【請求項３６】
請求項１〜３０のいずれか一項に記載の濃縮物と、固体マトリクスとを含む、処方。
【請求項３７】
カプセル、顆粒、ビーズ、およびペレットなどの形態である、請求項３６に記載の処方。
【請求項３８】
請求項１〜３０のいずれか一項に記載の濃縮物、または請求項３１〜３７のいずれか一項に記載の処方を含む、キット。
【請求項３９】
前記処方を基材に付着させるための手段をさらに含む、請求項３８に記載のキット。
【請求項４０】
基材への草の香りの付与方法に使用する、請求項３１〜３７のいずれか一項に記載の処方。
【請求項４１】
前記方法を、前記基材と前記処方との周期的な接触によって実施する、請求項４０に記載の処方。
【請求項４２】
前記接触を、少なくとも３日の周期間隔内で実施する、請求項４１に記載の処方。
【請求項４３】
前記接触を、前記処方の前記基材への噴霧または前記基材上に分配することによって実施する、請求項４０〜４２のいずれか一項に記載の処方。
【請求項４４】
前記基材が人工草である、請求項４０〜４３のいずれか一項に記載の処方。
【請求項４５】
前記接触を、灌漑によって実施する、請求項４４に記載の処方。
【請求項４６】
草の香りを基材に付与するためのシステムであって、請求項３１〜３７のいずれか一項に記載の処方を、前記基材に周期的に付着させるよう構成されたシステム。
【請求項４７】
前記処方を、少なくとも３日の周期間隔内で前記基材に付着させるように構成された、請求項４６に記載のシステム。
【請求項４８】
コンピュータ化されたシステムである、請求項４６または４７に記載のシステム。
【請求項４９】
前記基材が人工草である、請求項４６〜４８のいずれか一項に記載のシステム。
【発明の詳細な説明】
【技術分野】
【０００１】
本発明は、その一部の実施形態において、芳香付与処方に関する。より詳細には、しかしこれに限定するものではないが、草の香りがする処方、および合成または人工の草に切り取ったばかりの草の匂いを付与するためのその使用に関する。
【背景技術】
【０００２】
芳香付与剤（本明細書および当技術分野では、香気付与剤、匂い付与剤、香味付与剤、芳香誘発剤とも言う）は、飲料、化粧品、生理および衛生用品、洗剤、入浴剤、医薬、および農薬などの分野で広く使用される。芳香付与剤は、香り、匂い、芳香、または香気を製品に付与するために使用される。
【０００３】
香気（または香り、匂い、または芳香）は、香気性組成物中の様々な構成成分の組合せの結果である。通常、香気は、香気性の精油、植物性エキス、樹脂、動物の分泌物、および合成芳香材料などの材料（原料、構成成分）をブレンドすることによって創出される。これらの材料は、「トップノート」、「ミドルノート」、および「ボトムノート」の構成成分として知られるものを実現するためにブレンドされる。
【０００４】
「トップノート」は、着けた直後に知覚される性質である。「ベースノート」は、香気の本質である。これは典型的には、ゆっくりと蒸発する大きく重い分子からなる。一部のベースノートは、着けてから２４時間を超えてから知覚される。「ミドルノート」は、トップノートからベースノートにかけて知覚される性質である。これは典型的には、トップノートの後に現れる。
【０００５】
近年、グリーンノートの香気／芳香付与薬剤が、香水の分野で特に関心が持たれている。切り取ったばかりの緑草の香気を付与する薬剤の爽やかな芳香が、蝋燭、ポプリ、入浴およびボディ製品、ＭＰソープ（ｍｅｌｔ−ａｎｄ−ｐｏｕｒ  ｓｏａｐ）、冷製石けん、およびゲルワックスなどに使用される。
【０００６】
人工草（本明細書および当技術分野では、「人工芝」または「合成草」とも呼ぶ）は、１９６０年代初頭に販売され、当初は天然の草の代用としてスポーツ分野で使用された。人工草の適用分野および市場はその後著しく成長し、現在では、家庭造園、ゴルフコース、ペット向けエリア、および運動場エリアなどを含む、さらなる大きなビジネスセクターを含んでいる。
【０００７】
人工草市場の成長は、水の高価格と、世界中の多くの地域における潅漑低減への需要、時には行政の要求とによって、主に推進されてきた。さらなる要因としては、天然の草に関連するアレルギーや、草用殺虫剤の制御の必要性が含まれる。
【０００８】
天然の草にその外観および感触がよく似ている人工草の製造および加工の分野には、著しい進歩がもたらされてきた。しかし、現在利用可能な人工草の典型的な問題点は、温度が上昇しやすい点と、さらに草の香りがないことである。
【０００９】
米国特許出願公開第２００９／００３５４８８号は、切り取ったばかりの草の香りを放出する香り成分を含む合成草を教示し、香り成分は、合成草の中で積層されているか、または合成草を構成するポリマー材料内に組み込まれている。
【００１０】
米国特許出願公開第２００６／００４００７３号は、天然の草に似た、運搬可能な人工芝を教示するが、この人工芝は、草の香りを付与する芳香誘発剤で処理したストランドを含んでいてもよい。
【００１１】
さらなる背景技術として、米国特許第６，９７６，４５１号、米国特許出願公開第２００４／００２２９６６号および同第２００８／０２４１３７１号が挙げられる。
【発明の概要】
【００１２】
本発明の一部の実施形態の態様によれば、香り付け用濃縮物であって、香り付け用濃縮物の全質量に対して少なくとも５質量％の濃度のシス−３−ヘキセノールと、香り付け用濃縮物の全質量に対して少なくとも５質量％の濃度の、蒸発数が５０超のシス−３−ヘキセノールのエステル（本明細書では「重い」エステルと記述する）と、香り付け用濃縮物の全質量に対して少なくとも３質量％の濃度のガルバヌムレジノイドと、下記特徴：沸騰温度が３００℃超、持続性が少なくとも３００時間、およびエチルエーテルと比較した蒸発数が５０超の１種または複数種を特徴とする少なくとも１種のアルコールを含むアルコール担体とを含む、香り付け用濃縮物が提供される。
【００１３】
本発明の実施形態のいずれかの一部によれば、濃縮物は、長期持続性の草の香りを特徴とするものである。
【００１４】
本発明の実施形態のいずれかの一部によれば、シス−３−ヘキセノールの濃度は少なくとも１０質量％である。
【００１５】
本発明の実施形態のいずれかの一部によれば、シス−３−ヘキセノールの濃度は、１０質量％から２０質量％の範囲内である。
【００１６】
本発明の実施形態のいずれかの一部によれば、蒸発数が５０超のシス−３−ヘキセノールの（「重い」）エステルの濃度は、少なくとも１０質量％である。
【００１７】
本発明の実施形態のいずれかの一部によれば、蒸発数が５０超のシス−３−ヘキセノールの（「重い」）エステルの濃度は、１０質量％から２０質量％の範囲内である。
【００１８】
本発明の実施形態のいずれかの一部によれば、シス−３−ヘキセノールの（「重い」）エステルは、草の香りのベースノートを付与する（例えば、対応する持続性を有する）。
【００１９】
本発明の実施形態のいずれかの一部によれば、蒸発数が５０超のシス−３−ヘキセノールの（「重い」）エステルは、サリチル酸シス−３−ヘキセニルである。
【００２０】
本発明の実施形態のいずれかの一部によれば、ガルバヌムレジノイドの濃度は少なくとも３質量％である。
【００２１】
本発明の実施形態のいずれかの一部によれば、ガルバヌムレジノイドの濃度は５質量％から６質量％の範囲内である。
【００２２】
本発明の実施形態のいずれかの一部によれば、アルコール担体の濃度は、濃縮物の全質量に対して少なくとも３０質量％である。
【００２３】
本発明の実施形態のいずれかの一部によれば、濃縮物はアトラロン（ａｔｒａｌｏｎｅ）をさらに含む。
【００２４】
本発明の実施形態のいずれかの一部によれば、アトラロンの濃度は１質量％から２質量％の範囲内である。
【００２５】
本発明の実施形態のいずれかの一部によれば、濃縮物は、草の香りを付与する少なくとも１種の追加の香気性材料をさらに含む。
【００２６】
本発明の実施形態のいずれかの一部によれば、追加の香気性材料は、草の香りのトップノートを付与する（例えば、本明細書に記述されるように、蒸発数が１５未満もしくは１０未満、および／または低持続性である）。
【００２７】
本発明の実施形態のいずれかの一部によれば、少なくとも１種の追加の香気性材料の濃度は、組成物の全質量に対して、１質量％から２０質量％、または５質量％から１５質量％の範囲内である。
【００２８】
本発明の実施形態のいずれかの一部によれば、草の香りを付与する少なくとも１種の追加の香気性材料は、トランス−３−ヘキセノール、トランス−２−ヘキセナール、トランス−２−ヘキセノール、シス−２−ヘキセノール、１−ヘキサノール、１−ヘキサナール、シス−３−ヘキセナール、およびシス−３−ヘキセノールのエステルであって、蒸発数が１５未満または１０未満のものからなる群より選択される。
【００２９】
本発明の実施形態のいずれかの一部によれば、草の香りを付与する少なくとも１種の追加の香気性材料は、トランス−３−ヘキセノール、トランス−２−ヘキセナール、トランス−２−ヘキセノール、１−ヘキサノール、およびシス−３−ヘキセノールのエステルであって蒸発数が１５未満または１０未満のもの（および／または本明細書に記述されるように低持続性のもの）からなる群より選択される。
【００３０】
本発明の実施形態のいずれかの一部によれば、シス−３−ヘキセノールのエステルは、酢酸シス−３−ヘキセニル、ギ酸シス−３−ヘキセニル、およびイソ酪酸シス−３−ヘキセニル（ｖｅｒｄｕｒａｌ）からなる群より選択される。
【００３１】
本発明の実施形態のいずれかの一部によれば、濃縮物は、木質性の古草臭を付与する香気性材料をさらに含む。
【００３２】
本発明の実施形態のいずれかの一部によれば、香気性材料は、（持続性が１００時間超または２００時間超、および／または蒸発数が５０超の）木質性の古草臭のベースノートを付与する。
【００３３】
本発明の実施形態のいずれかの一部によれば、木質性の古草臭を付与する香気性材料の濃度は、濃縮物の全質量に対して、２質量％から１０質量％、または３質量％から７質量％の範囲内である。
【００３４】
本発明の実施形態のいずれかの一部によれば、香気性材料は、バージニアシダーウッドオイルおよびイソボルニルシクロヘキサノールからなる群より選択される。
【００３５】
本発明の実施形態のいずれかの一部によれば、濃縮物は、爽やかな香りのトップノートを付与する香気性材料をさらに含む。
【００３６】
本発明の実施形態のいずれかの一部によれば、爽やかな香りのトップノートを付与する香気性材料の濃度は、濃縮物の全質量に対して、１質量％から１０質量％または２質量％から６質量％の範囲内である。
【００３７】
本発明の実施形態のいずれかの一部によれば、爽やかな香りのトップノートを付与する香気性材料は、ジヒドロミルセノール、酢酸リナライル、酢酸スチルアリルからなる群より選択される。
【００３８】
本発明の実施形態のいずれかの一部によれば、濃縮物は、（例えば、持続性が２００時間超および／または蒸発数が５０超であることを特徴とする）グリーンまたはフローラルのベースノートを付与する香気性材料をさらに含む。
【００３９】
本発明の実施形態のいずれかの一部によれば、香気性材料の濃度は、組成物の全質量に対して、０．５質量％から５質量％の範囲内である。
【００４０】
本発明の実施形態のいずれかの一部によれば、香気性物質は、デュピカル（Ｄｕｐｉｃａｌ）、アドキサル（Ａｄｏｘａｌ）、リリアル（Ｌｉｌｉａｌ）、およびトランス−２−シス−６−ノナジエナールからなる群より選択される。
【００４１】
本発明の実施形態のいずれかの一部によれば、濃縮物は、ハーブ様の古草臭を付与する香気性材料をさらに含む。
【００４２】
本発明の実施形態のいずれかの一部によれば、ハーブ様の古草臭を付与する香気性材料の濃度は、組成物の全質量に対して、１質量％から１０質量％の範囲内である。
【００４３】
本発明の一部の実施形態の態様によれば、本明細書に記述される実施形態のいずれかの濃縮物およびこれらの任意の組合せを、液状担体と混合した、香り付け用処方が提供される。
【００４４】
本発明の実施形態のいずれかの一部によれば、液状担体には、アルコール、水、またはこれらの混合物が含まれる。
【００４５】
本発明の実施形態のいずれかの一部によれば、液状担体は、エタノールを含む。
【００４６】
本発明の実施形態のいずれかの一部によれば、処方中の濃縮物の濃度は、処方の全質量に対して、１質量％から５０質量％の範囲内である。
【００４７】
本発明の実施形態のいずれかの一部によれば、上記濃度は、５質量％から１５質量％の範囲内である。
【００４８】
本発明の一部の実施形態の態様によれば、本明細書に記述される実施形態のいずれかの濃縮物およびこれらの任意の組合せと、固体マトリクスとを含む、香り付け用処方が提供される。
【００４９】
本発明の実施形態のいずれかの一部によれば、香り付け用処方は、カプセル、顆粒、ビーズ、およびペレットなどの形態をとる。
【００５０】
本発明の一部の実施形態の態様によれば、本明細書に記述される実施形態のいずれかの濃縮物または処方およびこれらの任意の組合せを含む、キットが提供される。
【００５１】
本発明の実施形態のいずれかの一部によれば、キットは、濃縮物または処方を基材に付着させるための手段をさらに含む。
【００５２】
本発明の一部の実施形態の態様によれば、基材への草の香りの付与方法に使用するための、本明細書に記述される実施形態のいずれかの濃縮物、処方またはキット、およびこれらの任意の組合せが提供される。
【００５３】
本発明の実施形態のいずれかの一部によれば、方法は、基材と、本明細書に記述される実施形態のいずれかの処方およびこれらの任意の組合せとを周期的に接触させることによって実施する。
【００５４】
本発明の実施形態のいずれかの一部によれば、接触を、少なくとも３日の周期間隔内で実施する。
【００５５】
本発明の実施形態のいずれかの一部によれば、接触を、処方の基材上への噴霧または基材上に分配することによって実施する。
【００５６】
本発明の実施形態のいずれかの一部によれば、接触を、潅漑によって実施する。
【００５７】
本発明の実施形態のいずれかの一部によれば、基材は人工草である。
【００５８】
本発明の一部の実施形態の態様によれば、草の香りを基材に付与するためのシステムであって、本明細書に記述される実施形態のいずれかの処方およびこれらの任意の組合せを、基材に周期的に付着させるよう構成されたシステムが提供される。
【００５９】
本発明の実施形態のいずれかの一部によれば、システムは、処方を少なくとも３日の周期間隔内で基材に付着させるように構成される。
【００６０】
本発明の実施形態のいずれかの一部によれば、システムは、コンピュータ化されたシステムである。
【００６１】
本発明の実施形態のいずれかの一部によれば、基材は人工草である。
【００６２】
他に定義しない限り、本明細書で使用される全ての技術および／または科学用語には、本発明が関係する技術分野の当業者により一般に理解されるものと同じ意味がある。本明細書に記述されるものと同様のまたは均等な方法および材料は、本発明の実施形態の実施または試験で使用することができるが、例示的な方法および／または材料を以下に記述する。矛盾が生じた場合は、定義も含めて特許明細書に従うこととする。さらに、材料、方法、および実施例は単なる例示であり、必ずしも限定を意図するものではない。
【発明を実施するための形態】
【００６３】
本発明は、その一部の実施形態において、芳香付与処方に関し、より詳細には、しかし限定するものではないが、草の香りがする処方と、人工草などの基材に切り取ったばかりの草の匂いを付与するためのその使用とに関する。
【００６４】
本発明の少なくとも１つの実施形態を詳細に説明する前に、本発明は、下記の記述で述べられたまたは実施例により具体化された詳細に、その適用例を必ずしも限定するものではないことを理解されたい。本発明は、その他の実施形態が可能であり、また、様々な方法で実施または実行することが可能である。
【００６５】
本発明の実施形態は、香り付け用のベース処方（濃縮物）と、それを含有する固体または液体の処方とであって、天然の草の匂いを人工草、その他の人工緑色植物、および草に関連した人工製品、さらには天然の植物にも付与することを目的とする処方に関する。
【００６６】
本明細書に開示される処方は、長期持続性の草の香りを人工の草または製品に付与することから、人工草および草関連人工製品の分野における、長年にわたる要求に応えるものである。より詳細には、本明細書に開示される処方は、少なくとも２日間、好ましくは少なくとも３日間、少なくとも４日間、さらに少なくとも５日間またはそれ以上残る草の香りを付与する。本明細書で提供される処方は、環境条件（例えば、潅漑、降水）に対して化学的に安定である、即ち、その芳香付与（香り付け）効果は、処方が付着した基材（例えば、人工草）がそのような条件に供されたときにも残存するものである。
【００６７】
本明細書で提供される処方は、公用の土地、フィールド、囲地（ｙａｒｄ）、またはコートなどの広い面積や、私有の庭や囲地などの狭い土地にも、容易、且つ高い費用対効果をもって適用される。本明細書で提供される処方は、植物および動物（ヒトを含む）に対する刺激性および毒性がないことも特徴である。
【００６８】
本明細書で提供される処方中の香り付け用濃縮物は、爽やかな草の香りを付与する主要な香気成分として、シス−３−ヘキセノール（シス−３−ヘキセン−１−オール、主に「青葉アルコール」としても公知）を含む。しかし、シス−３−ヘキセノールは揮発性化合物であり、蒸発数および持続性が比較的低いのが特徴であることから、本発明者らは、シス−３−ヘキセノールと共に、爽やかな草の香りを少なくとも４８時間の期間にわたり維持するのに寄与する追加の構成成分を含む、濃縮物およびそれを含有する処方の調製および実施しに成功した。
【００６９】
本明細書では全体を通して、「濃縮物」という用語は、「ベース処方」も指し、シス−３−ヘキセノールと、長期持続性の香り付け効果をもたらす追加の成分とを含む濃縮された処方である。
【００７０】
本明細書の全体を通して使用される「処方」という用語は、ベース処方の希釈形態であり、本明細書に定義される基材に適用される最終製品である。
【００７１】
「香り付け」とは、本明細書の全体を通して、香りを付与することを意味する。
【００７２】
「香り」という用語は、本明細書では、芳香または香気または匂いともいう。
【００７３】
「長期持続性の香り付け効果」とは、数時間を超える期間、即ち、２４時間、３７時間、４８時間、６０時間、７２時間、８４時間、９６時間を超える期間、さらに１００時間を超える期間にわたって香りを付与することを意味する。
【００７４】
本明細書の全体を通して、本明細書に記述される濃縮物を形成するのに使用される一部の物質は、トップノートを付与するのか、ベースノートを付与するのか、またはミドルノートを付与するのかによって分類され、これらの用語は当技術分野で公知であり、且つ使用されるものである。
【００７５】
一部の物質は、それらの揮発性および／または持続性によって同様に分類することができる。物質の揮発性は、例えば沸点および／または蒸発数によって決定することができる。
【００７６】
本発明の実施形態によれば、一部の物質は、特徴的な揮発性（例えば、ノートタイプ、沸点、および／または蒸発数）、および／または持続性によって定義され、これらの特徴ごとに、またはこれら特徴の組合せごとに、検討することに留意されたい。
【００７７】
「持続性」という用語は、本明細書、および香料や香水の分野において、それを適用した基材上での香気の永続性を表すのに使用する。この用語は、基材への物質の付着から、物質によって付与した香りが続く期間によって典型的には反映されるが、このとき、ビヒクルの除去、水との接触、摩擦などの条件が考慮される。当技術分野で提供される持続性の値は、通常、皮膚を基質とするものであり、皮膚基質が曝される条件、例えば、発汗、水泳、入浴なども考慮する。香り付け用処方中の原料の持続性は、当技術分野で公知の方法、および／または公開データベースから見出すことのできる方法に従い計算することができる。例えば、www(dot)thegoodscentscompany(dot)com/data；Manuel Zarzo、Sensors、2013、13(1):463-483；および「Flavor, Fragrance and Odor analysis」、Ed. Ray Marsilli、CRC Press、29 Nov. 2001を参照されたい。ベースノートの持続性は、典型的には１００時間超である。ミドルノートの持続性は、典型的には１０〜１００時間である。トップノートの持続性は、典型的には１０時間未満である。
【００７８】
本明細書および当技術分野で使用される「蒸発数」という用語は、物質の揮発性を実験により決定した、測定可能な値である。蒸発数（Ｅｎ）は、Ｅｎを１と決定した標準液体と比較した、液体物質の蒸発時間である。Ｅｎの測定は、典型的には、温度が２９３±２Ｋ、および相対大気湿度が６５％±５％の測定中の条件で実施する。Ｅｎは、例えば、ＤＩＮ  ５３２４９；１９９５−０１に記載されるような規格に則った解析により決定することができる。一部のアッセイでは、Ｅｎを１とする標準物質はジエチルエーテルである。
【００７９】
高揮発性物質（例えば、本明細書で定義したトップノートを付与するもの）は、Ｅｎが１０未満であり、中揮発性物質（例えば、本明細書で定義したミドルノートを付与するもの）は、Ｅｎが１０から３５であり、低揮発性の物質は、Ｅｎが３５から５０であり、超低揮発性の物質は、Ｅｎが５０超である。低揮発性および超低揮発性の物質は、典型的には、本明細書で定義したベースノートを付与するものである。
【００８０】
本明細書で参照する蒸発数は、ジエチルエーテルと比較したものであり、ＤＩＮアッセイまたはＩＳＯアッセイなどの標準アッセイによって、またはこれら標準アッセイに従って、測定することができる。
【００８１】
本発明の一部の実施形態の態様によれば、シス−３−ヘキセノール、高い持続性および／または高い蒸発数により特徴付けられるシス−３−ヘキセノールのエステル、ガルバヌムレジノイド、およびアルコール担体を含む、香り付け用濃縮物（ベース処方）が提供される。
【００８２】
本発明の実施形態のいずれかの一部によれば、シス−３−ヘキセノールは、濃縮物の全質量に対して少なくとも５質量％の濃度でベース処方中に存在し、一部の実施形態では、シス−３−ヘキセノールは、濃縮物の全質量に対して少なくとも５質量％の濃度でベース処方中に存在する。一部の実施形態では、ベース処方中のシス−３−ヘキセノールの濃度は、５質量％から３０質量％、または１０質量％から２０質量％、または１０質量％から１５質量％、または１２質量％から２０質量％、または１５質量％から２０質量％の範囲内であり、それらの間の任意の部分範囲または中間値も含む。
【００８３】
本発明の実施形態のいずれかの一部によれば、シス−３−ヘキセノールのエステルは、高い持続性および／または高い蒸発数をその特徴とする、シス−３−ヘキセノールの「重い」エステルである。一部の実施形態では、シス−３−ヘキセノールのエステルは、１００時間、１５０時間、または２００時間を超える持続性を特徴とするものである。その高い持続性ゆえに、このような「重い」エステルは、処方のベースノート、例えばグリーン、フローラル、または草の香りのベースノートを付与する。
【００８４】
上記の代替として、または上記に加えて、シス−３−ヘキセノールの「重い」エステルは、その蒸発数が５０超、または６０超、またはさらに７０超であることをその特徴とする。上記の代替として、または上記に加えて、シス−３−ヘキセノールのエステルは、２００℃や２５０℃を超える、さらには３００℃を超える沸騰温度をその特徴とする。
【００８５】
本発明の実施形態のいずれかの一部によれば、シス−３−ヘキセノールの「重い」エステルの濃度は、濃縮物の全質量に対して少なくとも５質量％である、または組成物の全質量に対して少なくとも１０質量％である。一部の実施形態では、上記範囲は、１０質量％から２０質量％、または１０質量％から１５質量％、または１２質量％から１６質量％である。
【００８６】
例示的なシス−３−ヘキセノールの「重いエステル」は、サリチル酸シス−３−ヘキセニルである。
【００８７】
本発明の実施形態のいずれかの一部によれば、長期持続性の香り付け効果をもたらすために、追加の「重い」物質がベース処方に含まれる。これらの物質は、持続性が１００時間超、または２００時間超、さらに３００時間超であること、および／または蒸発数が５０超、６０超、または７０超（あるいは３５から１００、または５０から１００）ｄえあることを特徴とする。一部の実施形態では、そのような原料は、合計で１質量％から１０質量％、または合計で３質量％から７質量％の範囲内の濃度でベース処方中に存在する。
【００８８】
例示的なそのような成分は、ガルバヌムレジノイドであり、これはフェルラガルバニフルアレジノイド［ＣＡＳ  ＮＯ．９０００−２４−２］としても公知である。これは、フェルラガルバニフルアと呼ばれる、（イランおよびアフガニスタンで栽培される）セリ科の野草の根から見出されたガルバヌムガムの抽出物である。
【００８９】
ガルバヌムレジノイドは、３質量％から７質量％、または５質量％から７質量％、または５質量％から６質量％の範囲の濃度で、ベース処方中に存在することができる。
【００９０】
本明細書に記述される実施形態のいずれかの一部では、ベース処方は、本明細書でアルコール担体またはアルコールベースとも呼ばれるアルコール物質を、少なくとも３０質量％の濃度で、または３０質量％から４０質量％の範囲内の濃度で含む。
【００９１】
一部の実施形態では、アルコールベースは、持続性が１００時間超または２００時間超、または好ましくは３００時間超であること、および／または蒸発数が６０超、７０超、またはそれ以上（あるいは５０から１００）であることを特徴とする、１種または複数種の「重いアルコール」を含む。上記の代替として、または上記に加えて、１種または複数種の「重いアルコール」は、３００℃超の沸騰温度を特徴とするものである。
【００９２】
ベース処方のアルコールベースを形成し得る例示的なアルコール物質には、これらに限定されるものではないが、テトラエチレングリコールもしくはテトラプロピレングリコールなどのトリ−またはテトラ−アルキレングリコール、または高級アルキレングリコール、トリシクロデカンメチロール（ＴＣＤＭ）および／またはそのエステルもしくはエーテル誘導体、トリシクロデカンジメチロール（ＴＣＤ  ＤＭ）またはそのエステルもしくはエーテル誘導体、イソボルニルシクロヘキサノール、およびアビエチン酸メチル［ＣＡＳ  Ｎｏ．１２７−２５−３］、および／またはその誘導体が含まれる。
【００９３】
本発明のこれらの実施形態において使用可能な例示的なアルコール物質としては、例えば米国特許第４，１２３，３９４号に記載されたもの、および／または下記一般式によって表されるものが挙げられる。
【００９４】
【化１】
0006763613.tif 000002
【００９５】
（式中、ｎは１から６の整数、好ましくは１〜３の整数、好ましくは２であり、
Ｒは、水素、アルキル基、アルケニル基、アルキニル基、および／またはアシル基であり、これらの用語は本明細書で定義された通りである。）
【００９６】
一部の実施形態では、アルコールベースは、本明細書に記述される「重い」アルコールの１種または複数種と、匂い処方の担体として一般に使用される追加の１種または複数種の物質とを含む。例示的なそのような物質としては、これらに限定されるものではないが、安息香酸ベンジル（ＢＢ）［ＣＡＳ  Ｎｏ．１２０−５１−４］、フタル酸ジエチル（ＤＥＰ）［ＣＡＳ  Ｎｏ．８４−６６−２］、ジプロピレングリコール（ＤＰＧ）［ＣＡＳ  Ｎｏ．２５２６５７１−８］、ミリスチン酸イソプロピル（ＩＰＭ）［ＣＡＳ  Ｎｏ．１１０−２７−０］、およびクエン酸トリエチル（ＴＩＣ）［ＣＡＳ  Ｎｏ．７７−９３−０］が挙げられる。
【００９７】
本明細書に記述される実施形態のいずれかの一部によれば、ベース処方は、高い持続性および／または高い蒸発数の物質として、オークモスなどのコケ系の成分をさらに含む。
【００９８】
オークモスは、アトラロン、エベルニルまたはムース・ドゥ・メートル（Ｍｏｕｓｓｅ  ｄｅ  Ｍａｉｔｒｅ）として、またはメチル２，４−ジヒドロキシ−３，６−ジメチル−ベンゾエート、ＣＡＳ  Ｎｏ．  ４７０７−４７−５としても知られるものである。
【００９９】
アトラロンは、０．１質量％から３質量％、または１質量％から３質量％、または１質量％から２質量％の範囲内の濃度で、ベース処方中に存在することができる。
【０１００】
本明細書に記述される実施形態のいずれか１つの一部では、ベース処方は、草の香りを付与する香気性材料、木質性の古草臭を付与する香気性材料、爽やかな香りのトップノートを付与する香気性材料、グリーンまたはフローラルのベースノートを付与する香気性材料、および／またはハーブ様の古草臭を付与する香気性材料の１種または複数種を含む追加成分（香料）をさらに含む。
【０１０１】
一部の実施形態によれば、ベース処方は、シス−３−ヘキセノールに加えて、草の香りを付与する少なくとも１種の香気性材料をさらに含む。
【０１０２】
一部の実施形態では、そのような香気性材料は、（例えば、１００時間未満、２４時間未満、または１０時間未満の）中度から低度の持続性、および／または（例えば、３５未満、１５未満、または１０未満の）中度から低度の蒸発数を特徴とするものであり、これによって草の香りのトップノートを付与することを目標とする。
【０１０３】
そのような香気性材料の例示としては、これらに限定されるものではないが、本明細書に記述される低い持続性および／または低い蒸発数（高い揮発性）を特徴とする、トランス−３−ヘキセノール（シス−３−ヘキセノールの配座異性体）、トランス−２−ヘキセナール（「青葉アルデヒド」としても公知である）、トランス−２−ヘキセノール、シス−２−ヘキセノール、１−ヘキサノール、１−ヘキサナール、シス−３−ヘキセナール、およびシス−３−ヘキセノールのエステルが挙げられる。
【０１０４】
これらの実施形態における使用に適切したシス−３−ヘキセノールの例示的なエステルとしては、これらに限定されるものではないが、酢酸シス−３−ヘキセニル、ギ酸シス−３−ヘキセニル、およびイソ酪酸シス−３−ヘキセニル（ベルデュラル）が挙げられる。
【０１０５】
一部の実施形態では、草の香りのトップノートを付与する追加の香気性材料には、これらの実施形態に関連して定義しトランス−３−ヘキセノール、トランス−２−ヘキセナール、トランス−２−ヘキセノール、１−ヘキサノール、およびシス−３−ヘキセノールのエステルの１種または複数種が含まれる。一部の実施形態では、草の香りのトップノートを付与する追加の香気性材料には、上記の全てが含まれる。
【０１０６】
一部の実施形態では、そのような１種または複数種の香気性材料の合計濃度は、組成物の全質量に対して、１質量％から２０質量％、または５質量％から１５質量％の範囲内であり、それらの値の間の任意の中間値および部分範囲が含まれる。
【０１０７】
本明細書に記述される実施形態のいずれかの一部によれば、ベース処方は、木質性の古草臭を付与する１種または複数種の香気性材料をさらに含む。
【０１０８】
一部の実施形態では、これらの材料は、木質性の古草臭のベースノートを付与するように選択され、本明細書に記述されるような（例えば、１００時間超の）高い持続性および／または（例えば、５０超の）高い蒸発数を特徴とするものである。
【０１０９】
例示的なそのような香気性材料としては、これらに限定されるものではないが、バージニアシダーウッドオイルおよびイソボルニルシクロヘキサノールが挙げられる。
【０１１０】
一部の実施形態では、そのような香気性材料の合計濃度は、濃縮物の全質量に対して、２質量％から１０質量％、または３質量％から７質量％の範囲内である。
【０１１１】
本発明の一部の実施形態によれば、ベース処方は、爽やかな香りのトップノートを付与する香気性材料をさらに含む。
【０１１２】
例示的なそのような香気性材料としては、これらに限定されるものではないが、ジヒドロミルセノール、酢酸リナライル、および酢酸スチルアリルなどの、（例えば、１００時間未満、２４時間未満、または１０時間未満の）中程度から低程度の持続性および／または（例えば、３５未満、１５未満、または１０未満の）中程度から低程度の蒸発数のアルデヒドおよびアルコールが挙げられる。一部の実施形態では、処方は、そのような香気性材料の１種または複数種、あるいは全てを含む。
【０１１３】
一部の実施形態では、爽やかな香りのトップノートを付与する香気性材料の合計濃度は、濃縮物の全質量に対して、１質量％から１０質量％、または２質量％から６質量％の範囲内である。
【０１１４】
一部の実施形態によれば、ベース処方は、グリーンまたはフローラルのベースノートを付与するように選択される１種または複数種の香気性材料をさらに含む。
【０１１５】
一部の実施形態では、そのような香気性材料は、本明細書で定義される高い持続性、および／または本明細書で定義される（例えば、５０超の）高い蒸発数を特徴とするものである。
【０１１６】
例示的なそのような香気性材料としては、これらに限定されるものではないが、デュピカル、アドキサル、リリアル、およびトランス−２−シス−６−ノナジエナールなどの「重い」アルデヒドが挙げられる。
【０１１７】
一部の実施形態では、上記アルデヒドの１種または複数種が処方に含まれ、一部の実施形態では、上記アルデヒドの全てが処方中に含まれる。
【０１１８】
一部の実施形態では、グリーンまたはフローラルのベースノートを付与する「重い」香気性材料の合計濃度は、組成物の全質量に対して、０．５質量％から５質量％の範囲内である。
【０１１９】
一部の実施形態では、処方は、１種または複数種の追加の香気性材料またはその他材料、例えば、ハーブ様枯草の匂いを付与する芳香油やその他の植物エキス、芳香族エステル、芳香族アルコール、および香気性材料を含む。
【０１２０】
例示的なそのような追加の成分を、以下の表１に列挙するが、この表は、本発明の一部の実施形態における例示的且つ非限定的な処方を提示する。
【０１２１】
本明細書に記述されるベース処方または濃縮物は、担体またはビヒクルと混合されたときに最終的な香り付け用処方を形成するために使用することができる。
【０１２２】
本発明の一部の実施形態の態様によれば、本明細書に記述される濃縮物を含む、香り付け用処方が提供される。
【０１２３】
一部の実施形態では、処方は、濃縮物が混合される（希釈される）液状ビヒクルを含む。
【０１２４】
一部の実施形態では、そのような担体は、アルコール、水、またはアルコール水溶液を含む。
【０１２５】
一部の実施形態では、担体は、エタノールなどのアルコールを１０％から１００％、または５０％から１００％含む。
【０１２６】
一部の実施形態では、担体は、エタノールなどのアルコールからなる。
【０１２７】
一部の実施形態では、最終処方は、処方の全質量に対して１質量％から５０質量％の範囲内の濃度で、若しくは処方の全質量に対して５質量％から５０質量％、５質量％から２０質量％、５質量％から１５質量％、または１０質量％から２０質量％の範囲内の濃度で、濃縮物を含む。
【０１２８】
一部の実施形態では、最終処方は固体処方であり、ビヒクルは固体マトリクスである。
【０１２９】
一部の実施形態では、濃縮物は固体マトリクスに封入されている。濃縮物の封入に適切な任意のマトリクスは、これらの実施形態において使用可能である。固体マトリクスは、例えば破裂による即放性メカニズム、徐放性メカニズム、拡散、または分解によって、濃縮物を放出するように選択することができる。
【０１３０】
固体処方の最終形態は、例えば、カプセル、顆粒、ビーズ、ペレットなどである。
【０１３１】
例示的な固体処方は、例えば、米国特許出願公開第２００９／００３５４８８号および同第２００５／０１５３１３５号に記載されており、これらの記載は、本明細書に完全に記載したかのように参照により組み込まれる。
【０１３２】
本明細書に記述される実施形態のいずれかの一部では、最終処方そのものを提供する。あるいは、最終処方を調製するおよび／または使用するためのキットを提供する。
【０１３３】
一部の実施形態では、キットは、本明細書に記述される液体最終処方を含む。
【０１３４】
一部の実施形態では、キットは、濃縮物と、この濃縮物を本明細書に記述される液状ビヒクルと混合するための取扱い説明書とを含む。
【０１３５】
一部の実施形態では、キットは、それぞれが個別に包装された濃縮物および液状ビヒクルと、適切な量で当該濃縮物およびビヒクルを混合して本明細書に記述される濃縮物の濃度を達成するための取扱い説明書とを含む。
【０１３６】
一部の実施形態では、キットは、本明細書に記述される固体処方と、固体処方をどのように分配させるかに関する取扱い説明書とを含む。あるいは、キットは、処方を分配するための手段を含む。
【０１３７】
一部の実施形態では、キットは、本明細書に記述される処方のいずれかを分配するための手段、例えば、以下にさらに詳述されるような、噴霧ボトルおよびその他の装置またはシステムをさらに含む。
【０１３８】
キットに関して本明細書に記述される実施形態のいずれかの一部では、キットは、各実施形態およびそれらの任意の組合せにおいて、本明細書に記述される方法により当該処方を基材に付着させることによって、本明細書に記述される処方を使用するための取扱い説明書をさらに含む。
【０１３９】
本発明の一部の実施形態の態様によれば、実施形態の少なくとも１つに記述される濃縮物、処方、およびキットのいずれかは、草の香りを基材に付与する方法において使用するためのものである。
【０１４０】
基材としては、例えば、装飾用の草を含めた人工草、または任意のその他の人工の緑色植物、および人工草関連製品、または天然の草木（例えば、天然の草、天然の地被植物など）などの天然の緑色植物、ならびに任意のその他の天然または人工の植物が挙げられる。
【０１４１】
任意の市販またはその他の方法で入手可能な人工草またはその他の基材が考えられる。人工草は、例えば、公共の遊び場、運動場、家庭の庭などのものである。
【０１４２】
一部の実施形態では、本明細書に記述される方法は、本明細書に記述される人工草などの基材の処理を目的とする。
【０１４３】
一部の実施形態では、実施形態のいずれかの処方およびそれらの任意の組合せを基材を周期的に接触させるか、基材に付着させることによって当該方法を実施する。
【０１４４】
「周期的に」とは、繰り返される時間間隔内で、基材と処方との繰り返し接触、または処方の基材への繰り返し付着を行うことを意味する。
【０１４５】
一部の実施形態では、接触は、３日以上の周期間隔内、例えば３日ごと、４日ごと、または５日ごとに実施する。
【０１４６】
本明細書に記述される処方と基材との接触には、液状または固体上の処方を基材上に付着させるまたは分配するためのいかなる技法も使用することが可能であり、これらに限定されるものではないが、例えば、処方の噴霧または分配、および／または基材の潅漑が挙げられる。
【０１４７】
下記に、本明細書に記述される処方を基材上に付着させる（または基材と処方とを接触させる）のに適切な、非限定的な技法の一部を列挙する。
【０１４８】
１つの例示的な実施形態では、接触または付着は、噴霧を用いて実施する。
【０１４９】
処方を基材上に噴霧するための装置の非限定的な例は、噴霧ノズルを備えた手持ち式容器（例えば、ボトル形のもの）であって、処方で満たされたものである。装置は、動作すると噴霧ノズルを通して処方を分配する手動トリガーまたは弁を備えることができる。装置は、上記の代替として、または上記に加えて、噴霧ノズルを圧力源（例えば、加圧水または加圧空気の供給原などの流体源であるが、これに限定されるものではない）に接続するための手段を含み、圧力源により加えられる圧力を用いて、容器から噴霧ノズルを介して処方が分配されるようにすることができる。
【０１５０】
そのような手持ち式装置は、本明細書に記述されるキットの一部を構成することができる。例えば、処方で満たされ、噴霧ノズルを備えた容器を、手動トリガーまたは圧力源への接続によって噴霧ノズルを操作するための取扱い説明書と共にキット内に包装することができる。
【０１５１】
あるいは、ポンプを用いて液体処方を噴霧ノズルに通すことによって噴霧することもできる。したがって、本明細書に記述される装置であって、そのようなポンプをさらに含むことも考えられる。ポンプによって加えられた圧力の結果として、１つまたは複数の噴霧ノズルを通して液体処方を分配するための手段を有するホイール付きの機械も、これらの実施形態においても使用可能である。
【０１５２】
液体処方の散布は、任意でポンプに接続されたプロペラを用いて行うこともできる。
【０１５３】
小領域および大領域に固体処方を分配するための装置やシステムも考えられる。例えば、この目的には、顆粒、ペレット、またはビーズを分配するための手段を有するホイール付きの機械が使用可能である。例えば芝生の処理に使用される、顆粒状化学物質を分配するための任意の装置、機械、またはシステムが考えられる。
【０１５４】
液体または固体処方を、比較的広い領域（例えば、少なくとも１０平方メートル）に散布するために配置するシステムも考えられる。そのようなシステムは、制御部と、液体または固体散布システムと、制御部と散布システムとの間に通信を確立する通信チャネルまたはネットワークとを含むことができる。制御部は、任意で、散布システムを動作させるよう構成された電子回路を含むことが好ましい。
【０１５５】
上記にて論じたように、本明細書に記述される処方によってもたらされた長期持続性の香り付け効果によって、基材への処方の付着は３日以上の周期間隔で行うことができる。したがって、本明細書に記述される方法、システム、および装置のいずれかを、これらの時間間隔に従って使用することができる。このように、例えば本明細書に記述される例示的なシステム内の制御部は、３日以上の周期間隔で散布システムを動作させることができる。システムは、ある所定の基準または複数の基準の組み合わせに基づいて、制御部の使用する時間間隔を変えるように構成されたデータプロセッサを含むこともできる。
【０１５６】
散布システムは、例えば、液体散布システムであり、これらに限定されるものではないが、芝生用スプリンクラーシステム、センターピボット潅漑システム、点滴潅漑システム、およびミスト噴霧器システムなどが挙げられる。
【０１５７】
本願に基づく特許の存続期間中には、特定の領域全体にわたって液体および固体の処方を散布するための多くの関連技術が開発されると予測され、液体散布システムという用語の範囲には、そのような新しい技術の全てが演繹的に含まれるものとする。
【０１５８】
本願に基づく特許の存続期間中には、多くの関連ある人工草が開発されることも予測され、人工草という用語の範囲には、そのような新しい技術の全てが演繹的に含まれるものとする。
【０１５９】
本明細書で使用される「約」という用語は、±１０％を意味する。
【０１６０】
「含む（ｃｏｍｐｒｉｓｅｓ）」、「含む（ｃｏｍｐｒｉｓｉｎｇ）」、「含む（ｉｎｃｌｕｄｅｓ）」、「含む（ｉｎｃｌｕｄｉｎｇ）」、「有する（ｈａｖｉｎｇ）」、およびそれらの活用形は、「含むが、これらに限定されない」ことを意味する。
【０１６１】
「からなる」という用語は、「含み、これに限定される」ことを意味する。
【０１６２】
「実質的になる」という用語は、組成物、方法、または構造が、追加の成分、ステップ、および／または部分を含んでいてもよいが、当該追加の成分、ステップ、および／または部分が、特許請求の範囲に記載された組成物、方法、または構造の基本的および新規な特徴を物質的に変化させない場合に限られることを意味する。
【０１６３】
本明細書で使用される単数形である「ａ」、「ａｎ」、および「ｔｈｅ」は、文脈が他に明示しない限り、複数の対象を含む。例えば、「化合物」または「少なくとも１種の化合物」という用語は、複数の化合物と、それらの混合物とを含んでもよい。
【０１６４】
本出願の全体を通して、本発明の様々な実施形態を範囲の形で提示することができる。範囲の形の記載は、単なる便宜上および簡潔さのためであり、本発明の範囲の変更不可能な限定と解釈すべきではないことを理解されたい。したがって、ある範囲の記述は、その範囲に含まれうる全ての部分範囲のみならず、範囲内の個々の数値をも具体的に開示するものと見なすべきである。例えば、１から６などの範囲の記述は、１から３、１から４、１から５、２から４、２から６、３から６などの部分範囲のみならず、その範囲内の個々の数値、例えば１、２、３、４、５、および６を具体的に開示するものと見なすべきである。これは、範囲の幅とは無関係に適用される。
【０１６５】
数値範囲が本明細書で示される場合は、示される範囲内の任意の引用された数値（分数または整数）が常に含まれるものとする。第１指示数と第２指示数との「間の範囲」、さらには、第１指示数「から」第２指示数「の範囲」という文言は、本明細書では同義に使用され、第１および第２の指示数と、それらの間の全ての分数および整数を含むものとする。
【０１６６】
本明細書で使用される「方法」という用語は、所与の仕事を実現するための手法、手段、技法、および手順を意味し、化学、薬理学、生物学、生化学、および医学の分野の当業者に公知の手法、手段、技法、および手順、または当該当業者が公知の手法、手段、技法、および手順から容易に開発可能な手法、手段、技法、および手順を含むが、これらに限定されるものではない。
【０１６７】
「アルキル基」という用語は、直鎖状および分岐鎖状の基を含む飽和脂肪族炭化水素である。好ましくは、アルキル基は１から２０の炭素原子を有する。本明細書に数値範囲、例えば「１〜２０」と記述されるときには、基（ここではアルキル基）は、１個の炭素原子、２個の炭素原子、３個の炭素原子など、最大で２０個の炭素原子を含有してもよいことを示している。より好ましくは、アルキル基は、炭素原子数１から１０の中サイズのアルキル基である。特に好ましくは、他の記載がない限り、アルキル基は、炭素原子数１から４低級アルキル基（Ｃ（１〜４）アルキル）である。
【０１６８】
本明細書で使用されるアルケンおよびアルキンは、本明細書で定義されるアルキルであって、それぞれ１つまたは複数の二重結合または三重結合を含有するものである。
【０１６９】
本明細書で使用される「アシル基」という用語は、−Ｃ（＝Ｏ）−Ｒ’基（式中、Ｒ’は、本明細書で定義されるように、水素、アルキル基、アルケニル基、またはアルキニル基とすることができる）である。
【０１７０】
本発明の特徴であって、明確にするために個別の実施形態のとして記載したものは、組み合わせて１つの実施形態としても提供可能であることを理解されたい。逆に、簡潔にするために１つの実施形態として記載した本発明の様々な特徴を、個別に、または任意の適切な部分組合せで、または本発明で記載した他の実施形態との適切な組み合わせとして提供することもできる。様々な実施形態に関連して記載された特徴は、その特徴なしでは実施形態が動作不能でない限り、それらの実施形態の必須要件とは見なさない。
【０１７１】
上記で詳細に説明し、下記の請求の範囲内で請求する発明の様々な実施形態および態様について、以下の実施例で実験的裏付けを示す。
【０１７２】
実施例
次に、以下の実施例に参照するが、これらは上記説明と共に本発明の実施形態の一部を詳細に示すものであるが、本発明を限定するものではない。
【０１７３】
材料および方法
全ての原料を販売業者、例えば、Ａｇａｎ  Ａｒｏｍａ  ＆  Ｆｉｎｅ  Ｃｈｅｍｉｃａｌｓ社、Ｇｉｖａｕｄａｎ社、Ｆｉｒｍｅｎｉｃｈ社、Ｎｅｇｅｖ  Ａｒｏｍａ社などから購入した。
【０１７４】
ベース処方は、全ての原料を室温で混合することによって調製した。
【０１７５】
最終処方は、ベース処方をアルコール担体（例えば、エタノール、またはエタノールと水との混合物）で、少なくとも１：１の比率、好ましくは１：５から１：１０の比率に希釈することによって調製した。
【０１７６】
例示的な最終処方は、１０質量％〜２０質量％のベース処方、および８０％から９０％のエタノールをそれぞれ含有していた。
【実施例１】
【０１７７】
例示的なベース処方
例示的なベース処方は、表１に列挙する原料を室温で混合することによって調製した。
【０１７８】
【表１】
0006763613.tif 000003
【０１７９】
例示的なベース処方ＩおよびＩＩは、例示であり、非限定な、代表ではないベース処方として本明細書で提供する。処方ＩＩでは、草の香りを付与する原料の一部、例えばシス−３−ヘキセノールおよびトランス−２−ヘキセノールの濃度は、処方Ｉに比べて増加させた。
【実施例２】
【０１８０】
上記表１に列挙された原料を、規定の濃度範囲内で含有する例示的なベース処方を、１０％の処方を構成するようにエタノールで希釈し、後者を３０ｃｍ×５０ｃｍの面積の人工草に付着させた。
【０１８１】
草の香りは、希釈処方を付着させてから８０時間の経過後、さらには９０時間の経過後、および１２０時間の経過後にも認識可能であり、人工草への付着における、長期持続性の香り付け効果の成功を示す。
【０１８２】
本発明について、その特定の実施形態と併せて記述してきたが、当業者には多くの代替、修飾、および変法が明らかであることは明確である。したがって、添付の特許請求の範囲の精神およびその広い範囲に含まれる、上述のような全ての代替、修飾、および変法は、本発明に包括されることを意図する。
【０１８３】
本明細書で述べた全ての刊行物、特許、および特許出願は、当該刊行物、特許、または特許出願について具体的かつ個別に記載した場合と同様に、参照によりそれらが完全に本明細書に組み込まれるものとする。さらに、本願におけるいかなる参考文献の引用または記載も、そのような参考文献が本願に対する従来技術として存在することの自認と解釈すべきではない。セクションの見出しの使用についても、それらを必ずしも限定として解釈すべきではない。